【手続補正書】
【提出日】平成30年12月17日(2018.12.17)
【手続補正１】
【補正対象書類名】特許請求の範囲
【補正対象項目名】全文
【補正方法】変更
【補正の内容】
【特許請求の範囲】
【請求項１】
電気外科的器械であって、
近位端および遠位端を備えた下側ハンドルを有し、
前記下側ハンドルの前記遠位端に結合された上側ジョーを有し、前記上側ジョーは、少なくとも１つの電極を有し、
近位端および遠位端を備えた上側ハンドルを有し、
前記下側ハンドルの前記遠位端に結合された上側ジョーを有し、前記下側ジョーは、前記上側ジョーに回動可能に連結されており、
前記下側ハンドルの一部分は、前記上側ジョーと前記下側ジョーが閉じ位置において互いに近接して位置すると、前記上側ジョーから外れる、電気外科的器械。
【請求項２】
前記上側ハンドルの前記近位端は、フィンガループを有し、前記下側ハンドルの前記近位端は、フィンガループを有する、請求項１記載の電気外科的器械。
【請求項３】
前記下側ハンドルは、支持ばねおよび空所を備えた下側ハンドルハウジングを有し、前記支持ばねは、前記下側ハンドルハウジングの前記空所内に結合され且つ収納されている、請求項１記載の電気外科的器械。
【請求項４】
前記下側ハンドルは、支持アームを有し、前記支持アームは、前記支持ばねに結合され、且つ、前記上側ハンドル及び下側ハンドルが閉じ位置から溶融位置に動かされると前記上側ジョー及び下側ジョーに所定の力を加えるようになっており、前記支持アームの近位部分は、前記下側ハンドルハウジングの空所内に収納されている、請求項３記載の電気外科的器械。
【請求項５】
前記下側ハンドルは、前記上側ジョーと前記下側ハンドルハウジングとの間に設けられたジョー支持継手を有する、請求項１または４記載の電気外科的器械。
【請求項６】
前記ジョー支持継手は、空所を有し、前記支持アームの遠位部分は、前記ジョー支持継手の前記空所内に収納されている、請求項５記載の電気外科的器械。
【請求項７】
前記下側ハンドルハウジングは、前記ジョー支持継手の湾曲面と合致する湾曲面を有する、請求項１、５または６記載の電気外科的器械。
【請求項８】
前記下側ハンドルハウジングの前記湾曲面は、前記ジョー支持継手の前記湾曲面の鏡像である、請求項７記載の電気外科的器械。
【請求項９】
前記ジョー支持継手は、前記下側ジョーの湾曲面と合致する湾曲切欠きを有する、請求項１または８記載の電気外科的器械。
【請求項１０】
前記上側ジョーの前記少なくとも１つの電極は、前記下側ジョーに向いた平坦な平面状の密封面を有し、前記下側ジョーは、前記上側ジョーに向いた平坦な平面状の密封面を備えた下側電極を有し、前記下側電極は、前記少なくとも１つの電極と前記下側電極との間でＲＦエネルギーを伝送するよう作動的に配置され、前記上側ハンドルハウジングは、前記下側ハンドルハウジングに接触し、そして前記下側ハンドルハウジングとの接触によって起動してＲＦエネルギーの供給源に結合するよう構成されたスイッチを有する、請求項１または９記載の電気外科的器械。
【請求項１１】
電気外科的器械であって、
ジョー支持継手に連結されている下側ハンドルハウジングを備えた下側ハンドルを有し、
前記ジョー支持継手に連結された上側ジョーを有し、前記上側ジョーは、少なくとも１つの電極を有し、
上側ハンドルを有し、
前記上側ハンドルの遠位端に結合された下側ジョーを有し、前記下側ハンドルおよび前記上側ジョーは、前記上側ハンドルおよび前記下側ジョーに対して動くことができ、
前記ジョー支持継手は、前記上側ハンドルが前記下側ハンドルから離隔すると前記上側ジョーおよび前記下側ハンドルハウジングと整列し、前記下側ハンドルハウジングは、前記上側ハンドルと前記下側ハンドルが溶融位置において互いに近接して位置すると前記ジョー支持継手に対して回動する、電気外科的器械。
【請求項１２】
前記下側ハンドルハウジングは、前記ジョー支持継手の湾曲面と合致する湾曲面を有する、請求項１１記載の電気外科的器械。
【請求項１３】
前記下側ハンドルは、前記上側ハンドルとは接触可能ではない状態で前記下側ハンドルの内部に設けられていて前記上側ハンドルおよび前記下側ハンドルが閉じ位置から溶融位置に動かされると前記上側ジョーおよび前記下側ジョーのところに所定の力を加える支持ばねを有する、請求項１１または１２記載の電気外科的器械。
【請求項１４】
前記上側ハンドルは、前記上側ハンドルおよび前記下側ハンドルが前記閉じ位置にあるときに前記下側ハンドルから間隔を置いて位置したスイッチを有し、前記スイッチは、前記上側ハンドルおよび前記下側ハンドルが前記溶融位置にあるときに前記下側ハンドルと接触状態にあり、前記支持ばねは、前記スイッチが前記下側ハンドルと接触状態にあるときに圧縮される、請求項１１、１２または１３記載の電気外科的器械。
【請求項１５】
前記ジョー支持継手内に収納された遠位部分および前記下側ハンドル内に収納された近位部分を含む支持アームを更に有し、前記支持アームは、前記支持アームの前記近位部分のところに設けられたスロットを有し、前記支持ばねは、前記スロットに隣接したところで前記支持アームの前記近位部分に結合されている、請求項１１、１２、１３または１４記載の電気外科的器械。
【請求項１６】
前記スロットは、前記器械の長手方向軸線に対して横の方向に沿って設けられている、請求項１５記載の電気外科的器械。
【請求項１７】
前記下側ハンドルは、前記支持アームの前記スロット内に設けられたピンを有し、前記ピンと前記スロットは、前記ハンドルが前記閉じ位置から前記溶融位置に動かされているときに互いに対して作動的に動くことができる、請求項１６記載の電気外科的器械。
【請求項１８】
前記支持アームは、前記ジョー支持継手に回動可能に連結され、前記支持ばねは、前記支持アームを付勢するとともに前記支持アームを介して所定の力を前記上側ジョーおよび前記下側ジョーに供給する、請求項１１、１５または１７記載の電気外科的器械。
【請求項１９】
回動して前記開き位置において前記上側ハンドルから離隔した前記下側ハンドルは、前記下側ハンドルと前記上側ハンドルとの間に開き距離を定め、閉じ位置において前記上側ハンドルの近くに位置する前記下側ハンドルは、前記下側ハンドルと前記上側ハンドルとの間に閉じ距離を定め、前記閉じ距離は、前記開き距離よりも短く、前記溶融位置において前記上側ハンドルの近くに位置する前記下側ハンドルは、前記下側ハンドルと前記上側ハンドルとの間に溶融距離を定め、前記溶融距離は、前記閉じ距離よりも短い、請求項１１、１５、１７または１８記載の電気外科的器械。
【請求項２０】
電気外科的器械であって、
支持アームおよび前記支持アームに連結されている支持ばねを備えた下側ハンドルを有し、
前記下側ハンドルに連結された状態で該下側ハンドルから延びる上側ジョーを有し、前記上側ジョーは、少なくとも１つの電極を有し、
上側ハンドルを有し、
前記上側ハンドルに連結された状態で該上側ハンドルから延びる下側ジョーを有し、前記下側ハンドルおよび前記上側ハンドルは、離隔位置から近接位置に動くことができ、前記支持ばねは、前記上側ハンドルおよび前記下側ハンドルが前記近接位置にあるときには圧縮されない、電気外科的器械。
【請求項２１】
前記支持ばねは、ＲＦエネルギーが前記少なくとも１つの電極に供給されると、圧縮されて前記支持アームを介して所定の力を前記上側および前記下側ジョーに供給する、請求項２０記載の電気外科的器械。